(57)【要約】      （修正有）【課題】コストを低減した状態で良好な外観品質を備え、より使用者の興趣に応えられ需要を増大させうる筆記具を提供する。【解決手段】一端部１１にペン先部１２が設けられると共に他端部１３には装飾部１４が設けられた筆記具本体部１５と、ペン先部１２が挿入されてペン先部１２を保護するキャップ部１６とを備えた筆記具１０であって、装飾部１４は衣装を着せ替えしうるトルソーであること。【選択図】図１
0003196188.tif 000002
【実用新案登録請求の範囲】
【請求項１】
一端部にペン先部が設けられると共に他端部には装飾部が設けられた筆記具本体部と、前記ペン先部が挿入されてペン先部を保護するキャップ部とを備えた筆記具であって、前記装飾部は衣装を着せ替えしうるトルソーであることを特徴とする筆記具。
【請求項２】
前記キャップ部は、平面上に載置しうる台座として形成され、前記ペン先部が挿入されるキャップ本体部と、前記キャップ本体部の端部に設けられた脚部とにより構成され、前記ペン先部を前記キャップ本体部に挿入した場合には、平面上に筆記具本体部を立設できるように構成されていることを特徴とする請求項１記載の筆記具。
【請求項３】
前記衣装は略筒状に形成されており、前記衣装の背面部には、前記衣装の長さ方向端部から軸方向に沿って面ファスナーが延設されていることを特徴とする請求項２に記載の筆記具。
【請求項４】
前記脚部は、複数本設けられており、前記キャップ本体部より外方に向って突出して形成されていることを特徴とする請求項３に記載の筆記具。
【請求項５】
前記ペン先部は、ボールペンであることを特徴とする請求項１から４の何れか１項に記載の筆記具。
【考案の詳細な説明】
【技術分野】
【０００１】
本考案は、筆記具の改良に関するものである。
【背景技術】
【０００２】
様々な筆記具が、幅広く利用されているが、近年では、単に筆記のみを目的とするものだけではなく、装飾を施して利用者がより楽しく利用できるようにした筆記具がある。
【０００３】
装飾は、平面的な装飾に限られず、立体的な装飾を施したものも開発されている。例えば、特許文献１は、ボールペンのペン軸の頂点にこけし頭部を取り付け、ペン軸の外周には紙又は布を衣服状に装着したものである。
【０００４】
特許文献１のようなボールペンの装飾は見栄えが良いが、一方で、ペン軸の外周形状に沿って紙又は布を衣服状に装着しているため、こけしの胴部はペン軸の外周形状に依存してしまい、例えば、人の身体の形状を再現して、より現実味のある外観とすることはできなかった。
【０００５】
そこで、本考案者は、このような観点から特許調査を行ったところ、特許文献２のような文献を発見した。特許文献２は、人形又は動物等の飾り体を着脱自在に嵌装した飾り具付き鉛筆の構造であり、飾り体は、錘形部より取り外すこともできる。
【０００６】
しかしながら、特許文献２の飾り体は、錘形部に対して着脱自在に嵌装されており、例えば、人形の装いを替えるには、人形ごと取り替える必要があった。このような構成においては、利用者が好みに応じて嵌装し利用できるよう、複数種類の人形を供給する必要があるが、コスト高となるという不具合がある。
【０００７】
また、飾り体は人形、動物を単に模して形成したものであり、使用者の興趣に欠けると共に、良好な外観品質ではなく、需要の増大の観点からは不充分であった。
【特許文献１】公開実用新案第 昭５１−０１８６２９号
【特許文献２】公開実用新案第 昭４９−０１７０５９号
【考案の開示】
【考案が解決しようとする課題】
【０００８】
そこで、本考案は、このような従来の要請に基づくものであって、コストを低減した状態で良好な外観品質を備え、より使用者の興趣に応えられ需要を増大させうる筆記具を提供する。
【課題を解決するための手段】
【０００９】
前記課題を解決するために、請求項１に記載の筆記具にあっては、一端部にペン先部が設けられると共に他端部には装飾部が設けられた筆記具本体部と、前記ペン先部が挿入されてペン先部を保護するキャップ部とを備えた筆記具であって、前記装飾部は衣装を着せ替えしうるトルソーであることを特徴とする。
【００１０】
従って、請求項１に記載の筆記具にあっては、キャップ部を外すことによりペン先部によって筆記を行うことができると共に、トルソーに衣装を装着したり取り外したりすることができる。
【００１１】
請求項２に記載の筆記具にあっては、前記キャップ部は、平面上に載置しうる台座として形成され、前記ペン先部が挿入されるキャップ本体部と、前記キャップ本体部の端部に設けられた脚部とにより構成され、前記ペン先部を前記キャップ本体部に挿入した場合には、平面上に筆記具本体部を立設できるように構成されていることを特徴とする。
【００１２】
従って、請求項２に記載の筆記具にあっては、載置面上に脚部により筆記具本体部を立設できる。
【００１３】
請求項３に記載の筆記具にあっては、前記衣装は略筒状に形成されており、前記衣装の背面部には、前記衣装の長さ方向端部から軸方向に沿って面ファスナーが延設されていることを特徴とする。
【００１４】
従って、請求項３に記載の筆記具にあっては、衣装は、面ファスナーを開放することにより、周方向に拡開させて、衣装の軸方向に沿ってトルソーへ装着したり取り外したりすることができる。
【００１５】
請求項４に記載の筆記具にあっては、前記脚部は、複数本設けられており、前記キャップ本体部より外方に向って突出して形成されていることを特徴とする。
【００１６】
従って、請求項４に記載の筆記具にあっては、複数本の脚部によって安定的に立設させることができる。
【００１７】
請求項５に記載の筆記具にあっては、前記ペン先部は、ボールペンであることを特徴とする。
【考案の効果】
【００１８】
請求項１に記載の筆記具にあっては、キャップ部を外すことによりペン先部によって筆記を行うことができることから、筆記具として利用することができる。
【００１９】
また、トルソーに衣装を装着したり取り外したりすることができるため、複数種類の衣装を用意することにより、着せ替えをして楽しむことができるため、使用者の好みの外観品質を得ることができ、使用者の興趣に応えられ需要を増大させることができる。
【００２０】
衣装のみを交換することにより、外観品質を替えることができることから、トルソーと衣装を一体として交換する場合と比べて製造コストを低減することができる。
【００２１】
請求項２に記載の筆記具にあっては、載置面上に脚部により筆記具本体部を立設できる。従って、衣装を装着させた状態で筆記具本体を立設することにより、衣装を着せ替えできる装飾部を鑑賞することができ、従来の筆記具によっては得られない外観品質を得ることができ、使用者の興趣に応えられ需要を増大させることができる。
【００２２】
請求項３に記載の筆記具にあっては、衣装は、面ファスナーを開放することにより、周方向に拡開させて、衣装の軸方向に沿ってトルソーへ装着したり取り外したりすることができる。従って、トルソーへの衣装の着脱が容易となる。
【００２３】
請求項４に記載の筆記具にあっては、複数本の脚部によって安定的に立設することができるので、倒れ難いため、例えば部屋に飾っておくこともできる。
【図面の簡単な説明】
【００２４】
【図１】図１は、本考案に係る筆記具の一実施の形態を示し、キャップを取り外した様子を示した側面図である。
【図２】図２は、本考案に係る筆記具の一実施の形態を示し、（ａ）は正面側から見た際の斜視図であり、（ｂ）は右側方側から見た際の斜視図である。
【図３】図３は、本考案に係る筆記具の一実施の形態を示し、（ａ）は正面側から見た際の衣装の側面図であり、（ｂ）は背面側から見た際の衣装の側面図である。
【図４】図４は、本考案に係る筆記具の一実施の形態を示し、衣装背面部の面ファスナーを離別して開放した状態の衣装の側面図である。
【図５】図５は、本考案に係る筆記具の一実施の形態を示し、トルソーに衣装を装着した状態を示した斜視図である。
【考案を実施するための最良の形態】
【００２５】
以下、本考案に係る筆記具を実施の形態に基づき、図面を参照して詳細に説明する。
図１に示すように、本考案に係る筆記具１０は、一端部１１にペン先部１２が設けられると共に他端部１３には装飾部１４が設けられた筆記具本体部１５と、前記ペン先部１２が挿入されてペン先部１２を保護するキャップ部１６とを備えている。
【００２６】
装飾部１４は衣装２０を着せ替えしうるトルソーである。トルソー１４、筆記具本体部１５及びキャップ部１６は、樹脂を成形することにより形成されている。トルソー１４及び筆記具本体部１５は、一体に形成されている。
【００２７】
トルソー１４には、胸部２５、ウエスト部２６及び臀部２７が形成され、ウエスト部２６は、胸部２５及び臀部２７よりも径細にくびれて形成されている。
【００２８】
筆記具本体部１５は、細長円筒形状に形成され、側面視においては、曲線形状に形成され、長さ方向中央が他よりも径大に形成されている。本実施の形態においては、ペン先部１２は、ボールペンである。
【００２９】
図１に示すように、前記キャップ部１６は、平面上に載置しうる台座として形成され、前記ペン先部１２が挿入されるキャップ本体部１７と、前記キャップ本体部１７の端部１８に設けられた脚部１９とにより構成され、図２に示すように、前記ペン先部１２を前記キャップ本体部１７に挿入した場合には、平面上に筆記具本体部１５を立設できる。
【００３０】
キャップ本体部１７は、ペン先部１２を収容しうるペン先部１２と略同一形状に形成された空隙部（図示せず）を有している。
【００３１】
前記脚部１９は、４本設けられており、前記キャップ本体部１７より外方に向って突出して形成されている。
【００３２】
図４に示すように、前記衣装２０は略筒状に形成されており、前記衣装２０の背面部２１には、前記衣装２０の長さ方向端部２２から軸方向に沿ってスリット２４が設けられ、スリット２４に沿って面ファスナー２３が延設されている。
【００３３】
図３から図５に示すように、衣装２０は、布を縫製することにより形成されている。衣装２０には、衣装胸部２８、衣装ウエスト部２９、スカート部３１及び袖部３２が形成され、衣装ウエスト部２９は、衣装胸部２８及びスカート部３１よりも径細に形成されている。衣装胸部２８及び衣装ウエスト部２９は其々、トルソー１４に密着しうる径で形成されている。また、スリット２４及び面ファスナー２３は、衣装ウエスト部２９に至る箇所まで延設されている。
【００３４】
以下、本考案に係る筆記具の作用について、図面を参照して詳細に説明する。
本実施の形態における筆記具１０は、以上のように構成されていることから、図１に示すように、キャップ部１６を取り外すことにより、ボールペンのペン先部１２が出現するため、筆記具本体部１５を指で把持して紙などに筆記を行うことができる。
【００３５】
図２に示すように、キャップ部１６をペン先部１２へ挿入した場合には、筆記具本体部１５は、キャップ本体部１７に設けられた脚部１９によって卓上等の平面上に立設することができる。従って、筆記具本体部１５の他端部１３に設けられたトルソー１４が立設される。
【００３６】
図４に示すように、衣装２０は、背面部２１に設けられた面ファスナー２３を離別して開放することにより、衣装２０を拡開することができる。
【００３７】
この状態において、トルソー１４の軸方向より衣装２０を被せて、衣装２０とトルソー１４との正面を合わせ、且つ、高さ方向において、トルソー１４のウエスト部２６及び衣装ウエスト部２９を合わせた状態で面ファスナー２３を接合して閉じることにより、衣装２０は、トルソー１４に固定される。
【００３８】
ウエスト部２６は、胸部２５及び臀部２７よりも径細にくびれて形成されていることから、衣装２０は軸方向にずれにくい。
【００３９】
以上のようにして、衣装２０がトルソー１４に装着されて立設される。衣装２０を着せ替えする際は、再び面ファスナー２３を離別して開放し、軸方向に衣装２０を移動させて取り外し、前述の手順にて他の衣装を装着すれば良い。
【００４０】
前記実施の形態においては、ペン先部１２は、ボールペンであることを例に説明したが、これに限定されることはなく、例えば、シャープペン、万年筆の他、マーキングペン等であっても良い。
【００４１】
前記実施の形態においては、面ファスナー２３は衣装２０の背面部２１に形成されている例を説明したが、これに限定されることはなく、面ファスナー２３は、衣装２０の前面部に形成されていても良い。
【産業上の利用可能性】
【００４２】
本考案に係る筆記具は、衣装と併せて製造販売することにより、興趣に富んだ需要を増大させうる筆記具を提供することができ、産業上利用可能性を有している。
【符号の説明】
【００４３】
１０    筆記具
１１    一端部
１２    ペン先部
１３    他端部
１４    装飾部（トルソー）
１５    筆記具本体部
１６    キャップ部
１７    キャップ本体部
１８    端部
１９    脚部
２０    衣装
２１    背面部
２２    長さ方向端部
２３    面ファスナー
２４    スリット
２５    胸部
２６    ウエスト部
２７    臀部
２８    衣装胸部
２９    衣装ウエスト部
３１    スカート部
３２    袖部
【図１】
0003196188.tif 000003
【図２】
0003196188.tif 000004
【図３】
0003196188.tif 000005
【図４】
0003196188.tif 000006
【図５】
0003196188.tif 000007